(57)【要約】【課題】オーディオ信号のアフレコをし易くする記録再生装置および記録再生方法の提供を目的とする。【解決手段】ビデオディスク１上にビデオデータ２とオーディオデータ３を順次交互に連続して形成し、ビデオデータ２とオーディオデータ３の間にギャップ４を設け、ビデオデータ２とオーディオデータ３とを判別する識別符号ＩＤをつける。そして、識別符号ＩＤに基づいてビデオデータ２を検出したときはビデオ信号を再生し、オーディオデータ３を検出したときはオーディオデータ３のアフレコを行う。【選択図】図１
2006236565.tif 000002
【特許請求の範囲】
【請求項１】
記録媒体上にビデオ信号およびオーディオ信号のディジタル記録を行う記録再生装置において、
上記記録媒体上にビデオ記録部とオーディオ記録部を順次交互に連続して形成し、上記ビデオ記録部と上記オーディオ記録部の間にギャップを設け、上記ビデオ記録部と上記オーディオ記録部とを判別する判別信号をつける信号形成手段と、
上記信号形成手段による上記判別信号に基づいてビデオ記録部を検出したときはビデオ信号を再生し、オーディオ記録部を検出したときはオーディオ記録部にオーディオ信号を記録する記録再生制御手段とを有することを特徴とする記録再生装置。
【請求項２】
請求項１記載の記録再生装置において、
上記記録再生制御手段が上記オーディオ記録部にオーディオ信号を記録する際に、上記オーディオ信号に対応するビデオ信号と同期をとるように制御するタイミング制御手段を設けることを特徴とする記録再生装置。
【請求項３】
請求項１記載の記録再生装置において、
上記判別信号は、特定のビデオ記録部またはオーディオ記録部を判別することを特徴とする記録再生装置。
【請求項４】
記録媒体上にビデオ信号およびオーディオ信号のディジタル記録を行う際に、上記記録媒体上にビデオ記録部とオーディオ記録部とを順次交互に連続して形成して記録し、上記ビデオ記録部と上記オーディオ記録部との間にギャップを設け、上記ギャップに上記ビデオ記録部と上記オーディオ記録部とを判別する判別信号をつけ、この判別信号に基づいて、ビデオ記録部を検出したときはビデオ信号を再生し、オーディオ記録部を検出したときはオーディオ記録部にオーディオ信号を記録するようにしたことを特徴とする記録再生方法。
【発明の詳細な説明】
【技術分野】
【０００１】
本発明は、例えば、記録再生装置および記録再生方法に関する。詳しくは、ビデオ記録部とオーディオ記録部の間にギャップを設け、ビデオ記録部とオーディオ記録部とを判別する判別信号をつけるものである。
【背景技術】
【０００２】
従来、光ビデオディスクにビデオ信号およびオーディオ信号を記録し、記録されたビデオ信号およびオーディオ信号を再生する光ビデオディスク記録再生装置があった。
【０００３】
この光ビデオディスク記録再生装置について以下に説明する。光ビデオディスク記録再生装置は、光ビデオディスク、光ビデオディスクドライブから構成される。光ディスクドライブは、光ビデオディスクを回転させながらレーザ光スポットを照射して情報を記録したり、再生したりする。光ビデオディスクドライブは、スピンドルモータ、回転制御系、光ピックアップ、粗動モータ、粗動モータ制御系、信号処理系、ピックアップ制御系、ドライブコントローラから構成される。
【０００４】
光ビデオディスクには、ビデオ信号やオーディオ信号を含む情報が、ピットの並びとして刻まれている。ここで、光ディスク記録再生装置で再生されるオーディオ信号はＰＣＭ信号であるが、光ビデオディスク記録再生装置で再生されるビデオ信号およびオーディオ信号は、アナログのＦＭ信号として記録される。例えば、ビデオ信号およびオーディオ信号は、それぞれ別々に信号処理系の周波数変調回路で周波数変調されＦＭ信号とされた後に加算回路で加算され、リミッタで矩形波に変調され、光変調回路で光記録用に変調をかけられた後に光ピックアップで光ビデオディスクに記録される。
【０００５】
しかし、光ビデオディスクへのディジタルのビデオ信号およびオーディオ信号を記録するフォーマットは定まっていない。そこで、ディジタルビデオカセットレコーダー（ＶＣＲ）のフォーマットをそのまま継承している。図７にディジタルＶＣＲのディジタルのビデオ信号およびオーディオ信号の記録フォーマットおよび記録タイミングを示す。図７に示すディジタルＶＣＲの記録フォーマットは、ＳＭＰＴＥ規格Ｄ−２フォーマットである。図７において、６本の斜め方向トラック（プログラムトラック）で１フィールドが構成される。すなわち、ドラム１．５回転で１フィールドが記録される。それぞれのプログラムトラックはトラック０、１およびセグメント０、１、２に分けられる。１フィールドは３つのセグメントで構成される。また、２フィールドで１フレームが構成される。また、１セグメントでオーディオデータは２度記録されている。例えば、テープ上端部にセグメント１のオーディオデータ第１コピー７０が記録され、テープ下端部にセグメント１のオーディオデータ第２コピー７１が記録される。セグメント１のオーディオデータ第２コピー７１の上側でテープ中央部にセグメント１のビデオデータ７２が記録される。なお、オーディオデータのＡ0 ，Ａ1 ，Ａ2 ，Ａ3 はそれぞれオーディオチャンネルのＣＨ１，ＣＨ２，ＣＨ３，ＣＨ４に対応する。
【０００６】
ディジタルＶＣＲでは、回転ドラムに設けられたビデオ信号記録再生ヘッドおよびオーディオ信号記録再生ヘッドを用いてディジタルのビデオ信号およびオーディオ信号を図７に示すようなタイミングで記録する。つまり、回転ドラムの周面に対して斜めにテープを巻き付けて、テープの走行方向に対して斜めにビデオ信号記録再生ヘッドおよびオーディオ信号記録再生ヘッドが走査するようにする。
【０００７】
これにより、テープの短手方向に斜めに記録トラックが形成される。１スキャンのトラック対７３は、ビデオ信号記録再生ヘッドおよびオーディオ信号記録再生ヘッドの一対が１回の走査でテープに形成するトラックの長さを示す。複数回、ヘッド対の走査を繰り返すことにより、１スキャンのトラック対７３をテープに連続して形成する。
【０００８】
このように、ディジタルＶＣＲにおいては、ビデオ信号記録再生ヘッドおよびオーディオ信号記録再生ヘッドの一対がテープを１回で走査する期間が短い。従って、記録トラックのうち、ビデオ信号記録部としてのビデオデータおよびオーディオ信号記録部としてのオーディオデータを分け易い記録フォーマットになっている。
【０００９】
さらに、回転ドラムに設けられたタイミングヘッド等によりテープ上のトラック位置の検出も容易である。従って、ビデオ信号を再生しながらオーディオ信号のみを後で記録するいわゆるアフレコ（アフターレコーディング）を行い易い。つまり、オーディオ信号のアフレコをしやすい記録フォーマットになっている。
【００１０】
ところが、光ビデオディスク記録再生装置においては、光ビデオディスク上で、内周側から外周側へ螺旋状に、しかも連続して記録トラックが形成される。この連続する記録トラックからオーディオ信号のみの記録トラックを検出するのは難しかった。従って、オーディオ信号のみを後で記録するいわゆるアフレコを行うのは難しかった。つまり、光ディスク記録再生装置においては、オーディオ信号のアフレコをしやすい記録フォーマットにはなっていなかった。
【発明の開示】
【発明が解決しようとする課題】
【００１１】
このように、従来の光ディスク記録再生装置の光ビデオディスク上では、螺旋状に、しかも連続して記録トラックが形成されるので、オーディオ信号のみを後で記録するいわゆるアフレコを行うのが難しいという不都合があった。
【００１２】
本発明は、かかる点に鑑みてなされたものであり、オーディオ信号のアフレコをしやすくする記録再生装置および記録再生方法の提供を目的とする。
【課題を解決するための手段】
【００１３】
本発明の記録再生装置は、記録媒体上にビデオ信号およびオーディオ信号のディジタル記録を行う記録再生装置において、記録媒体上にビデオ記録部とオーディオ記録部を順次交互に連続して形成し、ビデオ記録部とオーディオ記録部の間にギャップを設け、ビデオ記録部とオーディオ記録部とを判別する判別信号をつける信号形成手段と、信号形成手段による判別信号に基づいてビデオ記録部を検出したときはビデオ信号を再生し、オーディオ記録部を検出したときはオーディオ記録部にオーディオ信号を記録する記録再生制御手段とを有するものである。
【００１４】
本発明の記録再生方法は、記録媒体上にビデオ信号およびオーディオ信号のディジタル記録を行う際に、記録媒体上にビデオ記録部とオーディオ記録部とを順次交互に連続して形成して記録し、ビデオ記録部とオーディオ記録部との間にギャップを設け、ギャップにビデオ記録部とオーディオ記録部とを判別する判別信号をつけ、この判別信号に基づいて、ビデオ記録部を検出したときはビデオ信号を再生し、オーディオ記録部を検出したときはオーディオ記録部にオーディオ信号を記録するようにしたものである。
【００１５】
［作用］
本発明の記録再生装置によれば、以下のような作用をする。まず、通常の記録を行う場合では、信号形成手段は、入力されるビデオ信号及びオーディオ信号を、光ビデオディスク上にビデオデータ部とオーディオデータ部を順次交互に連続して形成し、ビデオデータ部とオーディオデータ部の間にギャップを設け、ビデオデータ部とオーディオデータ部とを判別する判別信号としての識別符号ＩＤをつける記録フォーマットに形成し、記録再生制御手段はこの記録フォーマットの信号を光ピックアップでビデオディスク上に順次記録させる。
【００１６】
アフレコ時には、再生モードで記録再生制御手段は光ピックアップでビデオ信号を再生させながら、信号形成手段で形成されたオーディオ信号を記録させることにより、オーディオデータのみのデータの入れ替えを行っていく。
【００１７】
本発明の記録再生方法によれば、以下のような作用をする。まず、通常の記録を行う場合では、入力されるビデオ信号及びオーディオ信号を、光ビデオディスク上にビデオデータ部とオーディオデータ部を順次交互に連続して形成し、ビデオデータ部とオーディオデータ部の間にギャップを設け、ビデオデータ部とオーディオデータ部とを判別する判別信号としての識別符号ＩＤをつける記録フォーマットに形成し、この記録フォーマットの信号を光ピックアップでビデオディスク上に順次記録させる。
【００１８】
アフレコ時には、再生モードでビデオ信号を再生させながら、オーディオデータ部を判別する識別符号ＩＤを検出したとき、オーディオデータ部にオーディオ信号を記録させることにより、オーディオデータのみのデータの入れ替えを行っていく。
【発明の効果】
【００１９】
この発明は、記録媒体上にビデオ信号およびオーディオ信号のディジタル記録を行う記録再生装置において、記録媒体上にビデオ記録部とオーディオ記録部を順次交互に連続して形成し、ビデオ記録部とオーディオ記録部の間にギャップを設け、ビデオ記録部とオーディオ記録部とを判別する判別信号をつける信号形成手段と、信号形成手段による判別信号に基づいてビデオ記録部を検出したときはビデオ信号を再生し、オーディオ記録部を検出したときはオーディオ記録部にオーディオ信号を記録する記録再生制御手段とを有するので、ギャップに設けられた判別信号によりオーディオ記録部を検出したときに、オーディオ記録部にオーディオ信号を記録して、オーディオ信号のアフレコを行うことができる。
【００２０】
また、この発明によれば、上述において、記録再生制御手段がオーディオ記録部にオーディオ信号を記録する際に、オーディオ信号に対応するビデオ信号と同期をとるように制御するタイミング制御手段を設けるので、ビデオ信号を再生しながら、ビデオ信号と同期したオーディオ信号のアフレコを行うことができる。
【００２１】
また、この発明によれば、上述において、判別信号は、特定のビデオ記録部またはオーディオ記録部を判別するので、特定のビデオ記録部のビデオ信号を再生しながら、特定のオーディオ記録部のオーディオ信号のアフレコを行うことができる。
【００２２】
また、この発明によれば、記録媒体上にビデオ信号およびオーディオ信号のディジタル記録を行う際に、記録媒体上にビデオ記録部とオーディオ記録部とを順次交互に連続して形成して記録し、ビデオ記録部とオーディオ記録部との間にギャップを設け、ギャップにビデオ記録部とオーディオ記録部とを判別する判別信号をつけ、この判別信号に基づいて、ビデオ記録部を検出したときはビデオ信号を再生し、オーディオ記録部を検出したときはオーディオ記録部にオーディオ信号を記録するようにしたので、ギャップに設けられた判別信号によりオーディオ記録部を検出したときに、オーディオ記録部にオーディオ信号を記録して、オーディオ信号のアフレコを行うことができる。
【発明を実施するための最良の形態】
【００２３】
まず、この例を適用する光ビデオディスク記録再生装置の構成を示す。図６は、本実施例を適用する光ビデオディスク記録再生装置の基本構成を示すブロック図である。光ビデオディスク記録再生装置は、光ビデオディスク１００、光ビデオディスクドライブ１０１から構成される。光ビデオディスクドライブ１０１は、光ビデオディスク１００を回転させながらレーザ光スポットを照射して情報を記録したり、再生したりする。光ビデオディスクドライブ１０１は、スピンドルモータ１０２、回転制御系１０３、光ピックアップ１０４、粗動モータ１０５、粗動モータ制御系１０６、信号処理系１０７、ピックアップ制御系１０８、ドライブコントローラ１０９から構成される。
【００２４】
光ピックアップ１０４は、光ビデオディスク１００上に情報信号を記録し、光ビデオディスク１００上に記録された情報を再生する。光ピックアップ１０４は、光ビデオディスク１００の回転にともなう面の振れ、トラックの光ビデオディスク１００の半径方向の振れを検出し、それらの振れに対して常に一定の誤差内に収めるように自動調整する機能を有している。粗動モータ１０５は、光ピックアップ１０４を光ビデオディスク１００の目的位置近傍に高速で大きく移動させる。粗動モータ１０５は、光ピックアップ１０４内のモータと協力して、光ビデオディスク１００上のトラックの振れに対してレーザ光を追従させるためにも使用される。
【００２５】
ドライブコントローラ１０９は、光ビデオディスク記録再生装置の各部の動作の制御を行う。ドライブコントローラ１０９は、外部のドライブインターフェースからの指示によって各制御系を制御して目標の動作を行わせる。つまり、ドライブコントローラ１０９の制御信号により、回転制御系１０３は、スピンドルモータ１０２を回転させ、光ビデオディスク１００を回転させる。また、ドライブコントローラ１０９の制御信号により、粗動モータ制御系１０６は、粗動モータ１０５を動かして光ピックアップ１０４を光ビデオディスク１００の半径方向に移動させる。
【００２６】
ドライブコントローラ１０９は外部のインターフェースから供給された情報を信号処理系１０７に供給する。信号処理系１０７は、供給された情報に変調およびエラー訂正符号化等の信号処理を施して光ピックアップ１０４に供給する。光ピックアップ１０４は、光ビデオディスク１００に信号を記録する。また、信号処理系１０７は、光ピックアップ１０４で再生された情報に信号処理を施してドライブコントローラ１０９に供給する。ドライブコントローラ１０９は外部のインターフェースに情報を出力する。信号処理系１０７は、再生信号の復調回路やエラー訂正回路により構成される。
【００２７】
ここで、信号処理系１０７は、記録媒体としての光ビデオディスク１００上にビデオ記録部とオーディオ記録部を順次交互に連続して形成し、ビデオ記録部とオーディオ記録部の間にギャップを設け、ビデオ記録部とオーディオ記録部とを判別する判別信号としての識別符号ＩＤをつける信号形成手段を構成する。また、ドライブコントローラは信号形成手段による判別信号に基づいてビデオ記録部を検出したときはビデオ信号を再生し、オーディオ記録部を検出したときはオーディオ記録部にオーディオ信号を記録する記録再生制御手段を構成する。
【００２８】
ピックアップ制御系１０８は、トラッキング駆動回路およびフォーカシング駆動回路から構成される。ピックアップ制御系１０８は、ドライブコントローラ１０９の制御信号および信号処理系１０７の制御信号により、光ピックアップ１０４のトラッキングサーボおよびフォーカシングサーボの制御を行う。
【００２９】
このように構成される光ディスク記録再生装置は、以下のような動作をする。まず、通常動作について説明する。ドライブコントローラ１０９からの制御信号により、回転制御系１０３は、スピンドルモータ１０２を回転させ、光ビデオディスク１００を回転させる。また、ドライブコントローラ１０９の制御信号により、粗動モータ制御系１０６は、粗動モータ１０５を動かして光ピックアップ１０４を光ビデオディスク１００の半径方向に移動させる。
【００３０】
ピックアップ制御系１０８は、ドライブコントローラ１０９の制御信号および信号処理系１０７の制御信号により、光ピックアップ１０４のトラッキングサーボおよびフォーカシングサーボの制御を行う。光ピックアップ１０４は、光ビデオディスク１００上に情報信号を記録し、光ビデオディスク１００上に記録された情報を再生する。光ピックアップ１０４は、光ビデオディスク１００の回転にともなう面の振れ、トラックの光ビデオディスク１００の半径方向の振れを検出し、それらの振れに対して常に一定の誤差内に収めるように自動調整しながら情報を記録または再生する。
【００３１】
記録時には、ドライブコントローラ１０９は外部のインターフェースから供給された情報を信号処理系１０７に供給する。信号処理系１０７は、供給された情報に変調およびエラー訂正符号化等の信号処理を施して光ピックアップ１０４に供給する。光ピックアップ１０４は、光ビデオディスク１００に信号を記録する。また、再生時には、信号処理系１０７は、光ピックアップ１０４で再生された情報に復調やエラー訂正等の信号処理を施してドライブコントローラ１０９に供給する。ドライブコントローラ１０９は外部のインターフェースに情報を出力する。
【００３２】
なお、光ビデオディスク１００には、ビデオ信号やオーディオ信号を含む情報が、ピットの並びとして刻まれている。光ピックアアップ１０４からのレーザー光の反射量の変化を１か０かの２値化して読む方法はオーディオ信号を再生する光ディスク再生装置と同様としても良い。
【００３３】
また、詳細には光ビデオディスク記録再生装置で再生されるビデオ信号およびオーディオ信号は、アナログのＦＭ信号として記録される。例えば、信号処理系１０７において、ビデオ信号およびオーディオ信号は、それぞれ別々に周波数変調回路で周波数変調されＦＭ信号とされた後に加算回路で加算され、リミッタで矩形波に変調され、光変調回路で光記録用に変調をかけられた後に、光ピックアップ１０４で光ビデオディスク１００に記録される。また、ビデオディスク１００に記録されたビデオ信号およびオーディオ信号は、光ピックアップ１０４で再生される。例えば、信号処理系１０７において、ビデオ信号およびオーディオ信号は、光復調回路で光再生用に復調をかけられた後に、分離回路で分離され、それぞれ別々に周波数復調回路で周波数復調される。
【００３４】
次に、アフレコ動作について説明する。まず、信号形成手段を構成する信号処理系１０７が、記録媒体としての光ビデオディスク１００上に内周側から外周側へビデオ記録部とオーディオ記録部を順次交互に連続して形成し、ビデオ記録部とオーディオ記録部の間にギャップを設け、ビデオ記録部とオーディオ記録部とを判別する判別信号としての識別符号ＩＤをつける。
【００３５】
次に、記録再生制御手段を構成するドライブコントローラ１０９が信号形成手段により設けられた判別信号に基づいてビデオ記録部を検出したときはこのビデオ記録部に記録されたビデオ信号を再生し、オーディオ記録部を検出したときはこのオーディオ記録部にアフレコ信号としてのオーディオ信号を記録する。
【００３６】
以下、本発明の実施例を説明する。図１は、本実施例のビデオディスク上のＶＣＲ型記録フォーマットを示す図である。図２は、ビデオディスク上のセクター型記録フォーマットを示す図である。以下、ＶＣＲ型記録フォーマットを例として説明する。この例では、図６に示した信号処理系１０７は、光ビデオディスク上にビデオデータ部とオーディオデータ部を順次交互に連続して形成し、ビデオデータ部とオーディオデータ部の間にギャップを設け、ビデオデータ部とオーディオデータ部とを判別する識別符号ＩＤをつける信号形成手段を構成する。また、ドライブコントローラ１０９は信号形成手段による判別信号に基づいてビデオデータ部を検出したときはビデオ信号を再生し、オーディオデータ部を検出したときはオーディオデータ部にオーディオ信号を記録する記録再生制御手段を構成する。
【００３７】
図１において、ビデオディスク１上で螺旋状にビデオデータ２とオーディオデータ３とがある単位毎に区切られて一定間隔で信号形成手段により形成され、記録再生制御手段により記録される。図１において、長い短冊状データがビデオデータ２であり、短い短冊状データがオーディオデータ３である。そして、ビデオデータ２とオーディオデータ３の間、オーディオデータ３とオーディオデータ３の間、オーディオデータ３とビデオデータ２の間には、それぞれギャップ４が設けられている。
【００３８】
このビデオデータ２とオーディオデータ３との区切りの単位を以下に示す。例えば、非圧縮データでは１フィールド毎に区切られて一定間隔で記録される。１フィールドはビデオディスク１上の半周に該当する。つまり、ビデオディスク１上の半周毎にビデオデータ２とオーディオデータ３とを区切って一定間隔のギャップ４を設けて記録する。
【００３９】
また、ビデオデータ２とオーディオデータ３とが１フレーム毎に区切られて一定間隔で信号形成手段により形成され、記録再生制御手段により記録される。１フレームはビデオディスク１上の１周に該当する。つまり、ビデオディスク１上の１周毎にビデオデータ２とオーディオデータ３とを区切って一定間隔のギャップ４を設けて記録する。
【００４０】
あるいはビデオデータ２とオーディオデータ３とがその整数分の１毎に区切られて一定間隔で信号形成手段により形成され、記録再生制御手段により記録される。ｎを整数とすると、１／ｎフィールド毎に区切られて一定間隔で記録される。１／ｎフィールドはビデオディスク１上の半周の１／ｎに該当する。つまり、ビデオディスク１上の半周の１／ｎ毎にビデオデータ２とオーディオデータ３とを区切って一定間隔のギャップ４を設けて記録する。
【００４１】
また、ビデオデータ２とオーディオデータ３とが１／ｎフレーム毎に区切られて一定間隔で信号形成手段により形成され、記録再生制御手段により記録される。１／ｎフレームはビデオディスク１上の１周の１／ｎに該当する。つまり、ビデオディスク１上の１周の１／ｎ毎にビデオデータ２とオーディオデータ３とを区切って一定間隔のギャップ４を設けて記録する。
【００４２】
また、圧縮データでは、ビデオデータ２とオーディオデータ３とがＧＯＰ毎を１区間として、ＧＯＰ毎に区切られて一定間隔で信号形成手段により形成され、記録再生制御手段により記録される。図３は、ＧＯＰ（グループオブピクチャーズ）を説明する図である。まず、ＧＯＰを設けた理由に付いて説明する。ＭＰＥＧ１の規格によりデータ圧縮を行う際の符号化アルゴリズムは、動き補償フレーム間予測とＤＣＴを用いたハイブリッド符号化方式を基本としている。ここで、フレーム間予測は動画像情報の圧縮に効果的であるが、以前のフレームの情報を常に利用するため、ランダムアクセス機能が実現できない。そこで、この問題を解決するために、ＧＯＰと呼ばれる複数の画像フレームから構成される階層（レイヤ）を設けるようにした。
【００４３】
図３において示すように、ＧＯＰは３種類の符号化フレーム、すなわち、フレーム内符号化フレームを示すＩピクチャー３０、フレーム間符号化フレームを示すＰピクチャー３１、フレーム内符号化フレームを示すＢピクチャー３２から構成されている。図３に示すような順序で入力された各ＧＯＰ３３、３４、３５、３６で最初に符号化されるフレームは、Ｉピクチャー３０である。Ｉピクチャー３０は、ＤＣＴを用いたフレーム内符号化であるため、符号化データの開始点のアドレス情報を用いれば、ランダムアクセスが可能となる。このような、ビデオディスク１上のＧＯＰ毎にビデオデータ２とオーディオデータ３とを区切って一定間隔のギャップ４を設けて記録する。
【００４４】
この１区間毎にビデオデータ２、オーディオデータ３と順次記録し、図２のように記録する。ビデオデータ２、オーディオデータ３の間のギャップ４は、クロック抽出に用いるＰＬＬの立ち上げ等を考慮して、所定間隔だけ設けている。
【００４５】
ビデオデータ２、オーディオデータ３の各データは、図４に示すようなシンクブロックによって構成される。図４において、１シンクブロック４０は、１９０バイトで構成される。１シンクブロック４０は、同期信号ＳＹＮＣと内符号ブロック０（９５バイト）４１と外符号ブロック０（９３バイト）４２とで構成される。先頭の同期信号ＳＹＮＣはＳ0 、Ｓ1 の２バイトのデータから構成される。
【００４６】
内符号ブロック０（９５バイト）４１は識別符号ＩＤ、データ４３、内符号パリティ４４から構成される。識別符号ＩＤは、ＩＤ0 、ＩＤ1 の２バイトのデータから構成される。識別符号ＩＤは、このシンクブロック４０のデータが、ビデオデータであるかまたはオーディオデータであるか、または特定のデータの種類を識別する。データ４３は、Ｂ8 ，Ｂ83，Ｂ82，・・・，Ｂ2 ，Ｂ1 ，Ｂ0 の８５バイトのデータから構成される。内符号パリティ４４は、Ｋ7 ，Ｋ6 ，Ｋ5 ，Ｋ4 ，Ｋ3 ，Ｋ2 ，Ｋ1 ，Ｋ0 の８バイトのデータから構成される。
【００４７】
外符号ブロック０（９３バイト）４２はデータ４５、外符号パリティ４６から構成される。データ４５は、Ｂ8 ，Ｂ83，Ｂ82，・・・，Ｂ2 ，Ｂ1 ，Ｂ0 の８５バイトのデータから構成される。外符号パリティ４６は、Ｋ7 ，Ｋ6 ，Ｋ5 ，Ｋ4 ，Ｋ3 ，Ｋ2 ，Ｋ1 ，Ｋ0 の８バイトのデータから構成される。
【００４８】
内符号パリティ４４および外符号パリティ４６は、例えば、リードソロモン積符号形式のエラー訂正を行うためのエラー訂正符号である。シンクブロック４０はビデオ信号及びオーディオ信号ともに同じフォーマットであるので、識別符号ＩＤでビデオ信号及びオーディオ信号の区別が付けられるようにしておく。
【００４９】
また、オーディオデータ３とビデオデータ２との間に設けられるギャップ４には、ビデオデータ２と同じ識別符号ＩＤを設ける。そして、ビデオデータ２とオーディオデータ３との間、オーディオデータ３とオーディオデータ３との間に設けられるギャップ４には、ビデオデータ２またはオーディオデータ３と同じ識別符号ＩＤを設ける。これにより、ギャップ４の識別符号ＩＤを検出することにより、ギャップ４に続くビデオデータ２またはオーディオデータ３を検出することができる。また、ギャップ４の識別符号ＩＤをビデオデータ２またはオーディオデータ３と異なる識別符号別ＩＤとしてもよい。さらに、ギャップ４の識別符号ＩＤを特定パターンのビデオデータ２またはオーディオデータ３を判別する構成にしてもよい。
【００５０】
このように構成されたＶＣＲ型記録フォーマットで以下のように動作する。まず、通常の記録を行う場合では、信号形成手段は、入力されるビデオ信号及びオーディオ信号を、図２の記録フォーマットに形成し、記録再生制御手段はこの記録フォーマットの信号を光ピックアップでビデオディスク１上に順次記録させる。これにより、ビデオディスク１上に内周側から外周側へ順に、ビデオデータ２、ギャップ４、オーディオデータ３、ギャップ４、オーディオデータ３、ギャップ４の組が、繰り返して記録される。
【００５１】
アフレコ時には、再生モードで記録再生制御手段は光ピックアップでビデオ信号を再生させながら、信号形成手段で形成されたオーディオデータ３を記録させることにより、オーディオデータ３のみのデータの入れ替えを行っていく。この場合、オーバーライトメディアの場合は、すでに記録されたオーディオデータ３の上から直接、記録再生制御手段は光ピックアップで新たなオーディオデータ３を記録させることにより、オーディオデータ３のみのデータの入れ替えを行っていく。
【００５２】
また、オーバーライトメディアでない場合は、ビデオデータ２の再生に先行させて、記録再生制御手段は光ピックアップで予めアフレコを行うオーディオデータ３を消去して置き、消去されたオーディオデータ３に新たなオーディオデータ３を記録する。または、光ピックアップを２つ設けて、ビデオデータ２の再生の際に、記録再生制御手段は先行する光ピックアップで予めオーディオデータ３を消去させて、後行する光ピックアップで消去されたオーディオデータ３に新たなオーディオデータ３を記録させる。
【００５３】
光ビデオディスク記録再生装置では、記録または再生の動作状態により、光ピックアップのレーザーパワーレベルが変わるので、そのレーザーパワーレベルの変化を基にして具体的に動作説明を行う。
【００５４】
図５にアフレコの記録再生のタイミングを示す。図５において、まず、図５Ａに示すディスク上記録信号のビデオデータＡ0 に対しては、図５Ｂに示す光ピックアップのレーザーパワーレベルはローレベルＬであり、このとき、図５Ｃに示すドライブ動作は再生動作である。つまり、このときは再生モードであり、記録再生制御手段は光ピックアップでビデオデータＡ0 を再生させる。
【００５５】
次に、オーディオ部検出点５０において、記録再生制御手段がギャップ５１の識別符号ＩＤからオーディオ部を検出すると、図５Ａに示すビデオディスク上記録信号のオーディオデータＢ0 およびオーディオデータＣ0 に対しては、図５Ｂに示す光ピックアップのレーザーパワーレベルはハイレベルＨであり、このとき、図５Ｃに示すドライブ動作は記録（アフレコ）動作である。つまり、このときはアフレコ時であり、信号形成手段はオーディオデータＢ0 およびオーディオデータＣ0 を形成し、記録再生制御手段は光ピックアップでオーディオデータＢ0およびオーディオデータＣ0 を記録させる。
【００５６】
なお、オーディオ部検出点５０においてオーディオデータＢ0 に先行するギャップ５１でオーディオデータＢ0 およびオーディオデータＣ0 を検出しても良いし、オーディオ部検出点５０においてオーディオデータＢ0 に先行するギャップ５１でオーディオデータＢ0 を検出し、オーディオ部検出点５４においてオーディオデータＣ0 に先行するギャップ５２でオーディオデータＣ0 を検出するようにしても良い。
【００５７】
そして、ビデオ部検出点５５において、記録再生制御手段がビデオデータＡ1に先行するギャップ５３でビデオデータＡ1 を検出すると、図５Ａに示すディスク上記録信号のビデオデータＡ1 に対しては、図５Ｂに示す光ピックアップのレーザーパワーレベルはローレベルＬであり、このとき、図５Ｃに示すドライブ動作は再生動作である。つまり、このときは再生モードであり、記録再生制御手段は光ピックアップでビデオデータＡ1 を再生させる。このとき、ビデオデータＡ0 およびビデオデータＡ1 は、既にビデオディスク上に記録されたデータであり、オーディオデータＢ0 およびオーディオデータＣ0 は、新たにビデオディスク上に記録されたデータである。
【００５８】
このように、光ピックアップがギャップ部でオーディオデータ部の識別符号ＩＤを読み取ると、光ピックアップのドライブ動作は記録モードに切り替えられ、アフレコを行うことができる。ここで、図６に示すタイミング制御手段としてのドライブコントローラ１０９でオーディオ信号及びビデオ信号の同期を取るため、図５において、ビデオデータＡ0 に対応するオーディオデータＢ0 ，Ｃ0 はビデオデータＡ1 の前またはそれより後に記録する必要がある。
【００５９】
また、図５では、オーディオデータＢ0 ，オーディオデータＣ0 と２つに分けているが、オーディオデータＢ0 に先行するギャップ５１と、オーディオデータＣ0 に先行するギャップ５２とにより、オーディオ部検出点５０、５４において２種類のオーディオデータＢ0 ，オーディオデータＣ0 をそれぞれ検出して、これにより２種類のアフレコ信号を入れたり、オーディオデータＢ0 は原信号、オーディオデータＣ0 にアフレコ信号を入れても良い。
【００６０】
また、この場合に、例えば、記録再生制御手段にオーディオデータＢ0 ，オーディオデータＣ0 を選択する選択スイッチを設け、選択スイッチを切り換えることにより別々のオーディオデータＢ0 ，オーディオデータＣ0 を再生をするようにしても良い。
【００６１】
再生時は、通常の再生でよいが、オーディオ信号とビデオ信号の時間のずれをなくすため、例えば、図６に示す信号処理系１０７においてビデオ信号保持用のバッファメモリを設け、バッファメモリを用いて図６に示すタイミング制御手段としてのドライブコントローラ１０９でオーディオ信号とビデオ信号のタイミング合わせを行えば良い。
【００６２】
上例によれば、光ビデオディスク上にビデオデータ部とオーディオデータ部を順次交互に連続して形成するＶＣＲ型記録フォーマットにおいて、書き換え型ディジタルビデオディスクのオーディオアフレコを可能とすることができる。また、ギャップの識別符号ＩＤを他のデータに対して付加することにより、オーディオデータのみではなく、各種情報のアフターレコーディングを可能とすることができる。
【００６３】
以上、図１に示すＶＣＲ型記録フォーマットについて述べたが、図２に示すように、ビデオディスク上にセクター型記録フォーマットによりビデオデータ及びオーディオデータを信号形成手段により形成し、記録再生制御手段により記録するようにしてもよい。セクター型記録フォーマットでは、ビデオディスク２０上の、例えば、内周側に複数のオーディオデータセクタ２１を有するオーディオデータ部を設け、外周側に斜線で示す複数のビデオデータセクタ２２を有するビデオデータ部を設ける。
【００６４】
図２において、ビデオディスク２０上で区切られるビデオデータセクタ２２とオーディオデータセクタ２１の単位は、図１に示したＶＣＲ型記録フォーマットにおけるビデオデータ２とオーディオデータ３の区切りの単位と同様であるので、その説明を省略する。
【００６５】
この例においては、図６に示した信号処理系１０７は、光ビデオディスク上の外周側にビデオデータ部を形成し、内周側にオーディオデータ部を形成し、ビデオデータ部とオーディオデータ部の間、ビデオデータ部の間及びオーディオデータ部の間にギャップを設け、ギャップにビデオデータ部とオーディオデータ部とを判別する識別符号ＩＤをつける信号形成手段を構成する。また、ドライブコントローラ１０９は信号形成手段による判別信号に基づいてビデオデータ部を検出したときはビデオ信号を再生し、オーディオデータ部を検出したときはオーディオデータ部にオーディオ信号を記録する記録再生制御手段を構成する。
【００６６】
ここで、ビデオデータセクタ２１とオーディオデータセクタ２１との間にギャップ２３を設け、ビデオデータセクタ２２の間にそれぞれギャップ２５を設け、オーディオデータセクタ２１の間にそれぞれギャップ２４を設ける。この場合、ビデオデータおよびオーディオデータの構成は、図４に示したシンクブロックと同様であるので、その説明を省略する。
【００６７】
また、ビデオデータセクタ２２とオーディオデータセクタ２１との間、ビデオデータセクタ２２の間、およびオーディオデータセクタ２１の間にそれぞれ設けられるギャップ２３、２４、２５には、このギャップに続くオーディオデータまたはビデオデータを識別する識別符号ＩＤを設ける。これにより、ギャップ２３、２４、２５の識別符号ＩＤを検出することにより、ギャップ２３、２４、２５に続くオーディオデータセクタ２１を検出することができる。また、ギャップ２３、２４、２５の識別符号ＩＤをオーディオデータセクタ２１と異なる識別符号別ＩＤとしてもよい。さらに、ギャップ２３、２４、２５の識別符号ＩＤを特定パターンのオーディオデータセクタ２１を判別する構成にしてもよい。
【００６８】
ここで、セクター型記録フォーマットの場合、光ピックアップは、マルチヘッドで構成するようにした方がよい。つまり、ビデオディスク上の、外周側に設けられたビデオオデータセクタ２２に対してビデオデータの記録再生を行う第１の光ピックアップと、内周側に設けられたオーディオデータセクタ２１に対してオーディオデータの記録再生を行う第２の光ピックアップとを設ける。この場合、第１の光ピックアップと第２の光ピックアップとは、それぞれ独立した粗動モータ、粗動モータ制御系、ピックアップ制御系および信号処理系を有する。そして、第１の光ピックアップで記録再生されるビデオ信号に対応するオーディオ信号を第２の光ピックアップで記録再生できるようにタイミング制御手段としてのドライブコントローラにより同期を取るように構成する。
【００６９】
このように構成されたセクター型記録フォーマットで以下のように動作する。まず、通常の記録を行う場合では、信号形成手段は、入力されるビデオ信号及びオーディオ信号を、図３の記録フォーマットに形成し、記録再生制御手段はこの記録フォーマットの信号を第１の光ピックアップ及び第２の光ピックアップでビデオディスク２０上に順次記録させる。
【００７０】
アフレコ時には、再生モードで記録再生制御手段は第１の光ピックアップでビデオ信号を再生しながら、信号形成手段で形成されたオーディオ信号を第２の光ピックアップで記録させることにより、オーディオデータセクタ２１のみのデータの入れ替えを行っていく。この場合、オーバーライトメディアの場合は、すでに記録されたオーディオデータの上から直接、第２の光ピックアップで新たなオーディオデータを記録させることにより、オーディオデータセクタ２１のみのデータの入れ替えを行っていく。
【００７１】
また、オーバーライトメディアでない場合は、記録再生制御手段は第１の光ピックアップによるビデオ信号の再生に先行させて、第２の光ピックアップで予めオーディオデータを消去して置き、消去されたオーディオデータセクタ２１に第２の光ピックアップで新たなオーディオデータを記録させるようにしても良い。または、記録再生制御手段は第１の光ピックアップによるビデオ信号の再生の際に、先行する内周側の第２の光ピックアップで予めオーディオデータを消去させて、消去されたオーディオデータ部に新たなオーディオデータセクタ２１を記録させるようにしても良い。
【００７２】
光ビデオディスク記録再生装置では、記録または再生の動作状態により、光ピックアップのレーザーパワーレベルが変わるので、そのレーザーパワーレベルの変化を基にして、図５のアフレコの記録再生のタイミングを用いて具体的に動作説明を行う。
【００７３】
図５において、まず、図５Ａに示すディスク上記録信号のビデオデータＡ0 に対しては、図５Ｂに示す第１の光ピックアップのレーザーパワーレベルはローレベルＬであり、このとき、図５Ｃに示す第１の光ピックアップのドライブ動作は再生動作である。つまり、このときは再生モードであり、記録再生制御手段は第１の光ピックアップでビデオデータＡ0 を再生させる。
【００７４】
次に、オーディオ部検出点５０において、記録再生制御手段が先行する内周側の第２の光ピックアップでギャップの識別符号ＩＤからオーディオデータ部を検出すると、図５Ａに示すディスク上記録信号のオーディオデータＢ0 およびオーディオデータＣ0 に対しては、図５Ｂに示す第２の光ピックアップのレーザーパワーレベルはハイレベルＨであり、このとき、図５Ｃに示す第２の光ピックアップのドライブ動作は記録（アフレコ）動作である。つまり、このときはアフレコ時であり、信号形成手段はオーディオデータＢ0 およびオーディオデータＣ0 を形成し、記録再生制御手段は第２の光ピックアップでオーディオデータＢ0 およびオーディオデータＣ0 を記録させる。
【００７５】
なお、オーディオ部検出点５０においてオーディオデータＢ0 に先行するギャップ５１でオーディオデータＢ0 およびオーディオデータＣ0 を検出しても良いし、オーディオ部検出点５０においてオーディオデータＢ0 に先行するギャップ５１でオーディオデータＢ0 を検出し、オーディオ部検出点５４においてオーディオデータＣ0 に先行するギャップ５２でオーディオデータＣ0 を検出するようにしても良い。
【００７６】
そして、ビデオ部検出点５５において、記録再生制御手段がビデオデータＡ1に先行するギャップ５３でビデオデータＡ1 を検出すると、図５Ａに示すディスク上記録信号のビデオデータＡ1 に対しては、図５Ｂに示す第１の光ピックアップのレーザーパワーレベルはローレベルＬであり、このとき、図５Ｃに示す第１の光ピックアップのドライブ動作は再生動作である。つまり、このときは再生モードであり、記録再生制御手段は第１の光ピックアップでビデオデータＡ1 を再生させる。
【００７７】
このとき、ビデオデータＡ0 およびビデオデータＡ1 は、既にビデオディスク上に記録されたデータであり、オーディオデータＢ0 およびオーディオデータＣ0 は、第２の光ピックアップにより新たにビデオディスク上に記録されたデータである。このように、第２の光ピックアップがギャップ部でオーディオデータ部の識別符号ＩＤを読み取ると、第２の光ピックアップのドライブ動作は記録モードに切り替えられ、第２の光ピックアップによりアフレコを行うことができる。
【００７８】
また、この場合に、例えば、記録再生制御手段にオーディオデータＢ0 ，オーディオデータＣ0 を選択する選択スイッチを設け、選択スイッチを切り換えることにより第２の光ピックアップにより別々のオーディオデータＢ0 ，オーディオデータＣ0 のアフレコを行い、これにより、第２の光ピックアップで別々のオーディオデータＢ0 ，オーディオデータＣ0 を再生をするようにしても良い。
【００７９】
また、上例では、ビデオデータをビデオディスク上の外周側に設け、ビデオデータに対応するオーディオデータを内周側に設ける例を示したが、タイミング制御手段としてのドライブコントローラでオーディオ信号及びビデオ信号の同期を取るようにすれば、図３において、ビデオデータＡ0 をビデオディスク上の内周側に設け、ビデオデータＡ0 に対応するオーディオデータＢ0 ，Ｃ0 を外周側に設けても良い。
【００８０】
このように、ビデオデータ部、オーディオデータ部をセクター単位で管理することにより同様にアフレコを行うことができる。この場合、ギャップ２３、２４、２５をセクターアドレスとして管理して、制御すればよい。
【００８１】
上例では、第１の光ピックアップおよび第２の光ピックアップの２つの光ピックアップを用いてオーディオ信号のアフレコを行う例を示したが、第１の光ピックアップおよび第２の光ピックアップに加えて、オーディオデータの消去専用の第３の光ピックアップを設けるようにしても良い。このようにすることにより、第１の光ピックアップでビデオデータ部を再生して、第３の光ピックアップは第２の光ピックアップよりも先行してオーディオデータ部を消去して、第２の光ピックアップでオーディオデータ部のアフレコを行うことができる。
【００８２】
また、上例では、第１の光ピックアップおよび第２の光ピックアップの２つの光ピックアップを用いてオーディオ信号のアフレコを行う例を示したが、第１の光ピックアップおよび第２の光ピックアップに加えて、オーディオデータの消去専用の第３の光ピックアップおよび他のオーディオ信号の記録再生を行う第４の光ピックアップを設けるようにしても良い。このようにすることにより、第１の光ピックアップでビデオデータ部を再生して、第３の光ピックアップは第２の光ピックアップよりも先行してオーディオデータ部を消去して、第２の光ピックアップでオーディオデータ部のアフレコを行い、第４の光ピックアップで他のオーディオデータ部のアフレコを行うことができる。
【００８３】
また、図５では、オーディオデータをオーディオデータＢ0 ，オーディオデータＣ0 と２つに分けているが、これによりオーディオ部検出点５０においてオーディオデータＢ0 に先行するギャップ５１でオーディオデータＢ0 を検出して第２の光ピックアップでオーディオデータＢ0 のアフレコを行い、オーディオ部検出点５４においてオーディオデータＣ0 に先行するギャップ５２でオーディオデータＣ0 を検出して第４の光ピックアップでオーディオデータＣ0 のアフレコを行うことができる。また、オーディオデータＢ0 は原信号、オーディオデータＣ0 にアフレコ信号を入れても良い。
【００８４】
上例によれば、ビデオデータをビデオディスク上の外周側に設け、ビデオデータに対応するオーディオデータを内周側に設けるセクター型記録フォーマットにおいて、書き換え型ディジタルビデオディスクのオーディオアフレコを可能とすることができる。また、ギャップの識別符号ＩＤを他のデータに対して付加することにより、オーディオデータのみではなく、各種情報のアフターレコーディングを可能とすることができる。
【図面の簡単な説明】
【００８５】
【図１】この発明の記録再生装置および記録再生方法の一実施例のビデオディスク上のＶＣＲ型記録フォーマットを示す図である。
【図２】この発明の記録再生装置および記録再生方法の他の実施例のビデオディスク上のセクター型記録フォーマットを示す図である。
【図３】この発明の記録再生装置および記録再生方法の一実施例の圧縮データのＧＯＰを説明する図である。
【図４】この発明の記録再生装置および記録再生方法の一実施例のビデオデータ及びオーディオデータのシンクブロックの構造を示す図である。
【図５】この発明の記録再生装置および記録再生方法の一実施例のアフレコの記録タイミングを示すタイムチャートである。
【図６】この発明の記録再生装置および記録再生方法の一実施例の光ビデオディスク記録再生装置のブロック図である。
【図７】従来のＶＣＲ（Ｄ−２フォーマット）のビデオ信号およびオーディオ信号の記録フォーマットおよび記録タイミングを示す図である。
【符号の説明】
【００８６】
１ ビデオディスク
２ ビデオデータ
３ オーディオデータ
４ ギャップ
２０ ビデオディスク
２１ オーディオデータセクタ
２２ ビデオデータセクタ
２３ ギャップ
２４ ギャップ
２５ ギャップ
５０ オーディオ部検出点
５１ ギャップ
５２ ギャップ
５３ ギャップ
５４ オーディオ部検出点
５５ ビデオ部検出点
【図１】
2006236565.tif 000003
【図２】
2006236565.tif 000004
【図３】
2006236565.tif 000005
【図４】
2006236565.tif 000006
【図５】
2006236565.tif 000007
【図６】
2006236565.tif 000008
【図７】
2006236565.tif 000009
【手続補正書】
【提出日】平成18年4月28日(2006.4.28)
【手続補正１】
【補正対象書類名】特許請求の範囲
【補正対象項目名】全文
【補正方法】変更
【補正の内容】
【特許請求の範囲】
【請求項１】
光ディスクにビデオデータおよびオーディオデータのディジタル記録を行う記録再生方法であって、
通常の記録モードでは、ビデオデータとオーディオデータを交互に記録し、
アフターレコーディングモードでは、上記ビデオデータとオーディオデータが交互に記録された光ディスク上を、ビデオデータを再生するにはレーザーパワーがローレベルである再生モードに制御し、オーディオデータを記録するにはレーザーパワーがハイレベルである記録モードに制御することにより、
オーディオデータのみのデータの入れ替えをすることを特徴とする記録再生方法。
【請求項２】
請求項１記載の記録再生方法において、
上記通常の記録モードおよびアフターレコーディングモードの制御により、光ビデオディスク上にビデオデータ部とオーディオデータ部を順次交互に連続して形成するＶＣＲ型記録フォーマットにおいて、書き換え型ディジタルビデオディスクのオーディオアフレコを可能とすることを特徴とする記録再生方法。
【請求項３】
光ディスクに光ピックアップによりビデオデータおよびオーディオデータのディジタル記録を行う記録再生装置であって、
通常の記録モードで、上記光ディスクに上記光ピックアップによりビデオデータとオーディオデータを交互に記録する通常記録制御手段と、
アフターレコーディングモードで、上記ビデオデータと上記オーディオデータが交互に記録された光ディスク上の上記ビデオデータを再生するには上記光ピックアップをレーザーパワーがローレベルである再生モードに制御し、上記オーディオデータを記録するには上記光ピックアップをレーザーパワーがハイレベルである記録モードに制御することにより、上記オーディオデータのみのデータの入れ替えをするアフターレコーディング制御手段と、
を備えたことを特徴とする記録再生装置。
【手続補正２】
【補正対象書類名】明細書
【補正対象項目名】００１３
【補正方法】変更
【補正の内容】
【００１３】
本発明の記録再生方法は、光ディスクにビデオデータおよびオーディオデータのディジタル記録を行う記録再生方法であって、通常の記録モードでは、ビデオデータとオーディオデータを交互に記録し、アフターレコーディングモードでは、上記ビデオデータとオーディオデータが交互に記録された光ディスク上を、ビデオデータを再生するにはレーザーパワーがローレベルである再生モードに制御し、オーディオデータを記録するにはレーザーパワーがハイレベルである記録モードに制御することにより、オーディオデータのみのデータの入れ替えをするものである。
【手続補正３】
【補正対象書類名】明細書
【補正対象項目名】００１４
【補正方法】変更
【補正の内容】
【００１４】
本発明の記録再生装置は、光ディスクに光ピックアップによりビデオデータおよびオーディオデータのディジタル記録を行う記録再生装置であって、通常の記録モードで、上記光ディスクに上記光ピックアップによりビデオデータとオーディオデータを交互に記録する通常記録制御手段と、アフターレコーディングモードで、上記ビデオデータと上記オーディオデータが交互に記録された光ディスク上の上記ビデオデータを再生するには上記光ピックアップをレーザーパワーがローレベルである再生モードに制御し、上記オーディオデータを記録するには上記光ピックアップをレーザーパワーがハイレベルである記録モードに制御することにより、上記オーディオデータのみのデータの入れ替えをするアフターレコーディング制御手段とを備えたものである。